(57)【要約】【課題】  座席を損傷することなく、座席のクッション体から取り外すことができる座席用表皮材を提供する。【解決手段】  座席用表皮材１は、表地３と、この表地３の裏面に取り付けられる取付部５とを備える。表地３は、パイル織により形成されている。取付部５は、シート状の基材７の裏面に多数の毛部９がブラシ状に立設されて構成されており、毛部９は面ファスナーの雄部材状に形成されている。基材７および毛部９は、パイル織りにより一体的に形成されている。パイル織により形成された取付部５の基材７の表面に粘着剤２１が塗布されて、表地３に基材７が貼り付けられて表皮材１が形成される。【選択図】  図２
2015139521.tif 000002
【特許請求の範囲】
【請求項１】
表地と、
この表地に貼り付けられる取付部とを備え、
前記取付部は、座席のクッション体に差し込まれる多数の直線状の毛部を有する
ことを特徴とする座席用表皮材。
【請求項２】
前記取付部は、シート状の基材から多数の直線状の前記毛部が突出して形成されており、パイル織により前記基材と前記毛部が一体に形成されている
ことを特徴とする請求項１に記載の座席用表皮材。
【請求項３】
前記表地と前記取付部とは、再接着可能な粘着剤または接着剤により貼り付けられている
ことを特徴とする請求項１または請求項２に記載の座席用表皮材。
【発明の詳細な説明】
【技術分野】
【０００１】
本発明は、鉄道車両などの座席の表皮材に関するものである。
【背景技術】
【０００２】
従来、鉄道車両の座席は、乗客が座る座面と、乗客の背中が当たる背もたれ部とを有し、この座面と背もたれ部は、ポリエステルなどの繊維で形成されたクッション体（詰め物）に、表皮材が被せられて構成されている。特に、座面のクッション体に被せられる表皮材は、表地の裏面に、面ファスナーの雄部材が取り付けられて構成されており、この面ファスナーの雄部材により座面のクッション体に表皮材が取り付けられる。面ファスナーの雄部材は、表地の裏面から多数の毛がブラシ状に突出して形成されており、各毛の先端部は、フック状やマッシュルーム状に形成されている。表皮材は、面ファスナーの雄部材が取り付けられていることで、凹凸のある形状の座席にもきれいに取り付けることができる。
【発明の概要】
【発明が解決しようとする課題】
【０００３】
ところで、座席の製造時に、表皮材をクッション体に被せる際、しわが発生したりすると一旦取り外して付け直す必要がある。また、使用中において、表皮材が破損した場合や、汚れた場合には、表皮材をクッション体から取り外して、新しい表皮材を取り付ける必要がある。
【０００４】
しかしながら、従来の表皮材に設けられる面ファスナーの雄部材は、上述のように、その先端部がフック状やマッシュルーム状に形成されている。そのため、クッション体から表皮材を一旦取り外す際、座面を構成するクッション体の繊維が面ファスナーに付着して、クッション体の繊維を取り除いてしまい、クッション体が破損してしまうおそれがあった。
【０００５】
繊維が取り除かれてクッション体が破損すると、形状がくずれてしまい、見栄えが悪くなったり、クッション性が悪くなったりするおそれがある。また、再度表皮材をきれいに取り付けることができなくなるおそれがある。
【０００６】
本発明が解決しようとする課題は、座席のクッション体を損傷することなく、クッション体から容易に取り外すことができる座席用表皮材を提供することにある。
【課題を解決するための手段】
【０００７】
本発明は、前記課題を解決するためになされたもので、請求項１に記載の発明は、表地と、この表地に貼り付けられる取付部とを備え、前記取付部は、座席のクッション体に差し込まれる多数の直線状の毛部を有することを特徴とする座席用表皮材である。
【０００８】
請求項２に記載の発明は、前記取付部は、シート状の基材から多数の直線状の前記毛部が突出して形成されており、パイル織により前記基材と前記毛部が一体に形成されていることを特徴とする請求項１に記載の座席用表皮材である。
【０００９】
さらに、請求項３に記載の発明は、前記表地と前記取付部とは、再接着可能な粘着剤または接着剤により貼り付けられていることを特徴とする請求項１または請求項２に記載の座席用表皮材である。
【発明の効果】
【００１０】
本発明の座席用表皮材によれば、座席のクッション体を損傷することなく、容易にクッション体から取り外すことができる。
【図面の簡単な説明】
【００１１】
【図１】本発明の座席用表皮材の一実施例の一部を示す概略斜視図であり、一部を拡大して示している。
【図２】図１の座席用表皮材の概略断面図である。
【図３】図１の座席用表皮材の取付部の製造方法を示す概略図である。
【図４】図１の座席用表皮材を座席のクッション体に取り付けた状態を示す側面図であり、一部を切り欠いて断面にして示している。
【発明を実施するための形態】
【００１２】
以下、本発明の座席用表皮材の一実施例について図面に基づいて具体的に説明する。
【００１３】
図１は、本発明の座席用表皮材の一実施例を示す斜視図である。
図２は、図１の座席用表皮材の概略断面図である。
【００１４】
本実施例の座席用表皮材１は、表地３と、この表地３の裏面に取り付けられる取付部５とを主要部に備える。
【００１５】
本実施例では、表地３は、パイル織により形成された布地（モケット）とされる。
【００１６】
取付部５は、シート状の基材７の裏面に多数の毛部９がブラシ状に立設されて構成されており、面ファスナーの雄部材状に形成されている。
【００１７】
図３は、本実施例の取付部の製造方法を示す概略図である。
【００１８】
基材７および毛部９は、パイル織りにより一体的に形成されている。本実施例では、取付部５はパイル織の内、Ｗ織により形成されている。具体的には、図３に示す状態において、上下に離隔した位置において、たて糸１３とよこ糸１５にパイル糸１７が織りこむように配されて、パイル織物が形成される。そして、図３に示すように、パイル糸１７の上下方向中央部が、カッター１９により切断される。このようにして取付部５が形成され、パイル糸１７によりブラシ状に構成される部分が毛部９とされ、その毛部９の根元の基布が基材７とされ、ブラシ状の毛部９が基材７に立設されている。
【００１９】
取付部５は、その基材７の表面にアクリル系、ウレタン系またはＳＢＲ系のコーティング剤が塗布されて硬化され、バッキング加工が施される。
【００２０】
基材７を構成するたて糸１３、および、よこ糸１５は、ナイロンにより形成されている。また、毛部９を構成するパイル糸１７は、ポリプロピレン（ＰＰ）により形成されている。
【００２１】
本実施例では、基材７から突出する毛部９は直線状とされる。
また、毛部９の長さ（パイル長）Ｌは、後述する面ファスナーの雌部材として機能する座席２７のクッション体２９の繊維の一般的態様との関係で、１．８ｍｍ〜３．３ｍｍとされるのが好ましく、本実施例では、２．３ｍｍとされている。同様に、毛部９の直径（パイル糸１７の直径）は、０．１ｍｍ〜０．３ｍｍとされるのが好ましく、本実施例では、０．２ｍｍとされている。
【００２２】
パイル織により形成された取付部５の基材７の表面に粘着剤２１が塗布されて、表地３に基材７が貼り付けられて表皮材１が形成される。本実施例では、再接着可能な粘着剤２１が基材７に塗布されて、取付部５が表地３に取り付けられており、取付部５は表地３に対して着脱可能とされる。
【００２３】
図４は、図１の座席用表皮材を座席のクッション体に取り付けた状態を示す側面図であり、一部を切り欠いて断面にして示している。
【００２４】
このような構成の本実施例の表皮材１は、座席２７の座面２８を構成するクッション体（詰め物）２９に着脱可能に被せられる。本実施例では、クッション体２９は、ポリエステルの繊維により形成されている。
【００２５】
表皮材１がクッション体２９に被せられる際、表皮材１の直線状の毛部９が、座面２８のクッション体２９に差し込まれることで、表皮材１がクッション体２９に取り付けられて座面２８を構成する。つまり、基材７から直線状に突出する毛部９が、面ファスナーの雄部材の機能を果たし、座面２８のクッション体２９を構成する繊維が面ファスナーの雌部材の機能を果たす。このように、乗客の臀部や大腿部が載せ置かれる座面２８は、ポリエステルの繊維により形成されたクッション体２９に、表皮材１が被せられて構成される。
【００２６】
本実施例では、毛部９が直線状とされることで、表皮材１をクッション体２９から取り外す際、毛部９がクッション体２９を構成する繊維を取り除くことがなく、クッション体２９が損傷することがない。
【００２７】
また、本実施例では、再接着可能な粘着剤２１により、表地３と取付部５とが貼り付けられて、完全に固着されていない。そのため、本実施例の表皮材１は、柔軟性を有しており、順次、多数の乗客が座席２７に座っても、毛部９がクッション体２９から抜けることがなく、表皮材１にしわが発生し難い。
【００２８】
また、本実施例の表皮材１は、柔軟性を有していることで、座席２７のクッション体２９に凹凸がある場合でも、その凹凸に沿ってきれいに表皮材１を貼り付けることができ、見栄えがよい。
【００２９】
本発明の座席用表皮材は、上記実施例の構成に限らず、適宜変更可能である。
たとえば、上記実施例では、表地３をパイル織により形成したが、他の方法により形成してもよく編物としてもよい。また、上記実施例では、表地３と取付部５とを再接着可能な粘着剤により貼り合わせたが、再接着可能な接着剤により貼り合わせてもよい。さらに、上記実施例では、座席２７の座面２８を構成するクッション体２９に表皮材１を被せたが、背もたれ部３３を構成するクッション体に表皮材１を被せてもよい。
【符号の説明】
【００３０】
１  座席用表皮材
３  表地
５  取付部
７  基材
９  毛部
２１  粘着剤
２９  クッション体
【図１】
2015139521.tif 000003
【図２】
2015139521.tif 000004
【図３】
2015139521.tif 000005
【図４】
2015139521.tif 000006